(57)【要約】【課題】風圧による電線の振動やギャロッピング等の外的要因によって、長幹がいしを複数個直列に連結したがいし装置に撓みや捻回が生じた場合であっても、放電間隙を常に一定に保持して避雷特性を安定的に維持することができる技術を提供すること。【解決手段】複数個の長幹がいし１を直列に連結して構成され、かつ、避雷装置２を備えた避雷装置付きがいし装置において、避雷装置を構成する避雷要素部３を、接地側と課電側に２分割して、異なる長幹がいしのキャップに取り付けるとともに、該避雷要素部を取り付けた長幹がいしは、一端のキャップに前記の避雷要素部３を、他端のキャップにアークホーン４を、向い合わせて備え、直列ギャップを分割させた。【選択図】図１
2016189237.tif 000002
【特許請求の範囲】
【請求項１】
複数個の長幹がいしを直列に連結して構成され、かつ、避雷装置を備えた避雷装置付きがいし装置であって、
前記の避雷装置を構成する避雷要素部を、接地側と課電側に２分割して、異なる長幹がいしのキャップに取り付けるとともに、
該避雷要素部を取り付けた長幹がいしは、一端のキャップに前記の避雷要素部を、他端のキャップにアークホーンを、向い合わせて備え、
直列ギャップを分割させたことを特徴とする避雷装置付きがいし装置。
【請求項２】
複数個の長幹がいしを、端部のキャップ間を導電性のリンクによって連結したことを特徴とする請求項１記載の避雷装置付きがいし装置。
【請求項３】
２分割した避雷要素部を、共に、前記複数個の長幹がいしの軸線を含む同一平面内に取り付けたことを特徴とする請求項１記載の避雷装置付きがいし装置。
【発明の詳細な説明】
【技術分野】
【０００１】
本発明は雷サージによる高電圧が送電線に印加されたとき、それを速やかに大地へ放電するとともに、その後生じる続流を遮断し、地絡事故または短絡事故の発生を防止する避雷装置を備えた１連式のがいし装置に関するものである。
【背景技術】
【０００２】
既存の避雷装置は、鉄塔アームに取付金具を介して、避雷要素部（酸化亜鉛素子）を取付け、がいし装置課電側に設けた放電電極との間で直列ギャップを構成する方式を基本としている（特許文献１）。
【０００３】
これに対して、近年、避雷要素部の直径を細径化するとともに全長を低減させて、軽量コンパクト化を図ったコンパクト避雷装置への需要も高まっている。コンパクト避雷装置は、既設がいし装置のアークホーンに替えて取付ける構造を前提としている。
【０００４】
避雷要素部は、定格電圧の上昇に伴い長尺化する。このため、適用する系統電圧が高くなると、軽量コンパクト化により細径化した避雷要素部では、充分な機械的強度を期待できない。ギャップ式避雷装置は直列ギャップにより線路と切り離されているので導体から荷重を受けることはないが、施工時等を考慮すると５００Ｎ程度の曲げ強度は確保しておく必要がある。そこで、コンパクト避雷装置を、７７ｋＶよりも高い系統電圧に適用する場合は、避雷要素部を接地側と課電側に分割して取付け、２つの避雷要素部間で直列ギャップを構成する方式が採用されている（非特許文献１）。
【０００５】
しかし、上記の２つの避雷要素部間で直列ギャップを構成する方式を、図６に示すように、長幹がいしを複数個直列に連結したがいし装置に採用した場合、特に、変電所引込箇所等の低張力箇所では、風圧による電線の振動や積雪時のギャロッピング等の外的要因によってがいし装置に撓みや捻回が生じて、２つの避雷要素部間の距離、すなわち、放電間隙（Ｇ）が変動する恐れがあり、雷に対する保護特性を安定的に維持することが困難な場合があるという問題があった。
【先行技術文献】
【特許文献】
【０００６】
【特許文献１】特開２００３−２１７７９０号公報
【非特許文献】
【０００７】
【非特許文献１】ＮＧＫレビュー  第５９号「コンパクト避雷装置の開発」
【発明の概要】
【発明が解決しようとする課題】
【０００８】
本発明の目的は前記を解決し、風圧による電線の振動やギャロッピング等の外的要因によって、長幹がいしを複数個直列に連結したがいし装置に撓みや捻回が生じた場合であっても、放電間隙を常に一定に保持して避雷特性を安定的に維持することができる技術を提供することである。
【課題を解決するための手段】
【０００９】
上記課題を解決するためになされた本発明は、複数個の長幹がいしを直列に連結して構成され、かつ、避雷装置を備えた避雷装置付きがいし装置において、前記の避雷装置を構成する避雷要素部を、接地側と課電側に２分割して、異なる長幹がいしのキャップに取り付けるとともに、該避雷要素部を取り付けた長幹がいしは、一端のキャップに前記の避雷要素部を、他端のキャップにアークホーンを、向い合わせて備え、直列ギャップを分割させたことを特徴とするものである。
【００１０】
請求項２記載の発明は、請求項１記載の避雷装置付きがいし装置において、複数個の長幹がいしを、端部のキャップ間を導電性のリンクによって連結したことを特徴とするものであり、請求項３記載の発明は、請求項１記載の避雷装置付きがいし装置において、２分割した避雷要素部を、共に、前記複数個の長幹がいしの軸線を含む同一平面内に取り付けたことを特徴とするものである。
【発明の効果】
【００１１】
複数個の長幹がいしを直列に連結して構成され、かつ、避雷装置を備えた避雷装置付きがいし装置において、避雷装置を構成する避雷要素部を、接地側と課電側に２分割して、異なる長幹がいしのキャップに取り付けるとともに、該避雷要素部を取り付けた長幹がいしは、一端のキャップに前記の避雷要素部を、他端のキャップにアークホーンを、向い合わせて備え、直列ギャップを分割させた構成を採用した本発明によれば、風圧による電線振動やギャロッピング等の外的要因によって、長幹がいしを複数個直列に連結したがいし装置に撓みや捻回が生じた場合であっても、避雷要素部とアークホーンは、固定された長幹がいしの挙動に追従するため、避雷要素部とアークホーン間で形成される放電間隙は変動しない。このため本発明によれば、放電間隙を常に一定に保持して避雷特性を安定的に維持することができる。
【図面の簡単な説明】
【００１２】
【図１】本発明の一実施形態を示す避雷装置付きがいし装置の正面図である。
【図２】他の実施形態における避雷装置付きがいし装置の正面図である。
【図３】他の実施形態における避雷装置付きがいし装置の正面図である。
【図４】図１の避雷装置付きがいし装置が撓んだ状態の正面図である。
【図５】取付金具の正面図と側面図である。
【図６】従来技術の説明図である。
【発明を実施するための形態】
【００１３】
以下に本発明の好ましい実施形態を示す。
【００１４】
本実施形態の避雷装置付きがいし装置は、図１に示すように、長幹がいし１を複数個直列に連結して構成された送電用がいし装置であり、避雷装置２を備えている。長幹がいし１は多数の笠を備えた磁器製のがいし本体の両端部に、金属製のキャップをセメントによって固定した構造である。複数個の長幹がいし１は、端部のキャップ間を導電性のリンク１０とボルト１１によって連結されている。１２は接地側リンクであり、その先端は図示を略した鉄塔アームに固定されている。また１３は課電側リンクであり、その先端には図示を略したクランプ金具によって送電線が支持されている。架線状態によって、リンク１３が接地側、リンク１２が課電側は逆となるケースもある。
【００１５】
避雷要素部３は、接地側３Ａと課電側３Ｂに２分割されている。本実施形態では、「接地側の避雷要素部３Ａ」を「接地側の長幹がいし１Ａ」の「接地側のキャップ５Ａ」に固定して取り付け、「課電側の避雷要素部３Ｂ」を「課電側の長幹がいし１Ｂ」の「接地側のキャップ５Ｂ」に固定して取り付けている。取り付けは図５に示す取付金具１５により行われる。この取付金具１５は基部側金具１６と先端側金具１７とからなり、基部側金具１６の下端を半円状の分割構造とし、長幹がいし１のキャップ５にボルト固定する構造である。また先端側金具１７に避雷要素部３の基部金具１４がボルト固定される。基部側金具１６と先端側金具１７との間には角度調節機構１８を設け、避雷要素部３の取付角度を調整可能としてある。
【００１６】
また、「接地側のアークホーン４Ａ」を「接地側の長幹がいし１Ａ」の「課電側のキャップ６Ａ」に固定して取り付け、「課電側のアークホーン４Ｂ」を、「課電側の長幹がいし１Ｂ」の「課電側のキャップ６Ｂ」に固定して取り付けている。
【００１７】
アークホーン４Ａ、４Ｂは、その先端のギャップ電極８Ａ、８Ｂが、避雷要素部３Ａ、３Ｂの先端のギャップ電極９Ａ、９Ｂと向き合うように配置され、ギャップ電極８Ａ、８Ｂと、ギャップ電極９Ａ、９Ｂ間に形成される放電間隙（Ｇ）が分割されている。従って分割された２つのギャップが、それらの中間にあるキャップ５Ｂ、導電性のリンク１０、キャップ６Ａを介して電気的に直列に接続され、全体として電圧階級に適した放電ギャップを形成している。
【００１８】
本発明では、このように、長幹がいし１の両端のキャップ５Ａ、５Ｂ、６Ａ、６Ｂに、避雷要素部３Ａ、３Ｂとアークホーン４Ａ、４Ｂを直接取り付ける構造としているため、図４に示すように、長幹がいしを複数個直列に連結したがいし装置に撓みや捻回が生じた場合であっても、避雷要素部３とアークホーン７は、各々、固定された長幹がいし１の挙動に追従するため、放電間隙（Ｇ）は常に一定に保持され、避雷特性を安定的に維持することができる。
【００１９】
図１に示すように、この実施形態では複数個の長幹がいし１、１の避雷要素部３Ａ、３Ｂは、複数個の長幹がいし１、１の軸線を含む同一平面内に取付けられている。特に避雷要素部３Ａ、３Ｂを長幹がいし１、１の軸線の真上あるいは真下に位置するように取付ければ、避雷要素部３Ａ、３Ｂの重量による捻じれを抑制し易くなるので好ましい。なお、複数個の長幹がいし１、１の避雷要素部３Ａ、３Ｂを軸線を含む同一平面内に配置しない場合には、避雷要素部３Ａ、３Ｂの重量によって各長幹がいし１、１に異なる方向の回転モーメントが作用する可能性があり、捩れを招くので、好ましくない。
【００２０】
他の実施形態として、図２に示すように、「接地側の避雷要素部３Ａ」を「キャップ６Ａ」に固定して取り付け、「接地側のアークホーン４Ａ」を「キャップ５Ａ」に固定して取り付けるとともに、「課電側の避雷要素部３Ｂ」を「キャップ６Ｂ」に固定して取り付け、「課電側のアークホーン４Ｂ」を「キャップ５Ｂ」に固定して取り付けたり、図３に示すように、「接地側の避雷要素部３Ａ」を「キャップ６Ａ」に固定して取り付け、「接地側のアークホーン４Ａ」を「キャップ５Ａ」に固定して取り付けるとともに、「課電側の避雷要素部３Ｂ」を「キャップ５Ｂ」に固定して取り付け、「課電側のアークホーン４Ｂ」を「キャップ６Ｂ」に固定して取り付けることもできる。
【００２１】
上記各構成の避雷装置付きがいし装置で支持された送電線に雷サージが印加された場合、サージ電流は、「課電側の長幹がいし１Ｂ」の「課電側のキャップ６Ｂ」に連なるギャップ電極から、フラッシオーバーによって、「接地側のキャップ５Ｂ」に連なるギャップ電極に流れ、続いて、「接地側の長幹がいし１Ａ」の「課電側のキャップ６Ａ」に連なるギャップ電極から、フラッシオーバーによって、「接地側のキャップ５Ａ」に連なるギャップ電極に流れ、「接地側のキャップ５Ａ」から取付アダプタや支持アームを経て、鉄塔本体へ至り、アースされる。このため碍子連を雷サージから保護することができる。また雷サージをアースした後の続流は商用周波であるため半サイクル以内に遮断され、続流による停電および送電線の損傷も防止することができる。
【００２２】
以上に説明したように、本発明によれば長幹がいしを複数個直列に連結した避雷装置付きがいし装置に撓みや捻回が生じた場合であっても、放電間隙を常に一定に保持して避雷特性を安定的に維持することができ、特に、変電所引込箇所等の低張力箇所に適したものである。
【符号の説明】
【００２３】
１  長幹がいし（接地側１Ａ、課電側１Ｂ）
２  避雷装置
３  避雷要素部（接地側３Ａ、課電側３Ｂ）
４  アークホーン（接地側４Ａ、課電側４Ｂ）
５  接地側のキャップ（１Ａのキャップ５Ａ、１Ｂのキャップ５Ｂ）
６  課電側のキャップ（１Ａのキャップ６Ａ、１Ｂのキャップ６Ｂ）
８  ギャップ電極（４Ａのギャップ電極８Ａ、４Ｂのギャップ電極８Ｂ）
９  ギャップ電極（３Ａのギャップ電極９Ａ、３Ｂのギャップ電極９Ｂ）
１０  リンク
１１  ボルト
１２  接地側リンク
１３  課電側リンク
１４  基部金具
１５  取付金具
１６  基部側金具
１７  先端側金具
１８  角度調節機構
【図１】
2016189237.tif 000003
【図２】
2016189237.tif 000004
【図３】
2016189237.tif 000005
【図４】
2016189237.tif 000006
【図５】
2016189237.tif 000007
【図６】
2016189237.tif 000008